(57)【要約】【課題】股ベルト、腰ベルト、肩ベルト等のベルトを挿通するための切込部からの異物の侵入が防止される乳幼児用シートの座席カバーを提供する。【解決手段】乳幼児用シートに備えられたベルトに対応した位置に設けられ、ベルトを通すための１または複数の切込部と、切込部に連設されて座席カバー１０の表側に突出し、ベルトが挿通される袖部材１２ａ、１２ｂとを備え、座席カバー１０が乳幼児用シートに装着される際に、ベルトの自由端が切込部から挿入され、袖部材１２ａ、１２ｂを通って取り出されるようにした。【選択図】      図５
2004190206.tif 000002
【特許請求の範囲】
【請求項１】
乳幼児用シートの座席表面に装着される乳幼児用シートの座席カバーであって、
前記乳幼児用シートに備えられたベルトに対応した位置に設けられ、前記ベルトを通すための１または複数の切込部と、
前記切込部に連設されて突出し、前記ベルトが挿通される袖部材とを備え、
前記座席カバーが前記乳幼児用シートに装着される際に、前記ベルトの自由端が前記切込部から挿入され、前記袖部材を通って取り出される乳幼児用シートの座席カバー。
【請求項２】
前記袖部材は、筒形状を有し、
前記筒形状の一方の開口部が、前記切込部の周縁部に合わされて固着され、
他方の開口端部は、前記固着された開口部よりも開口面積が小さい請求項１に記載の乳幼児用シートの座席カバー。
【請求項３】
前記袖部材の開口端部は伸縮自在に絞り込まれる請求項２に記載の乳幼児用シートの座席カバー。
【請求項４】
前記袖部材の開口端部は、開口縁部の外周に沿って設けられたゴム部材によって伸縮自在に絞り込まれる請求項３に記載の乳幼児用シートの座席カバー。
【請求項５】
前記袖部材の前記ベルト挿通方向の長さは、前記挿通されるベルトの長さよりも短く、
前記袖部材は、前記袖部材に挿通された前記ベルトの根元部分を覆う請求項１〜４のいずれかに記載の乳幼児用シートの座席カバー。
【発明の詳細な説明】
【０００１】
【発明の属する技術分野】
本発明は、ベビーカー、ベビーラック、ベビー用歩行器、チャイルドシート等の乳幼児用シートの座席表面に取り付けられる座席カバーに関し、特に、乳幼児の身体を支持する股ベルト、腰ベルト、肩ベルト等のベルトを備える乳幼児用シートの座席カバーに関する。
【０００２】
【従来の技術】
従来、ベビーカー、ベビーラック、ベビー用歩行器、チャイルドシート等の乳幼児用シートの座席および周辺部を覆うことでこれらのシートの衛生的な使用を可能とし、また洗濯を容易に行うことができる取り外し可能なカバーが知られている。
【０００３】
例えば、特許文献１に開示されたベビー用シートの座席カバーは、その本体が布地で構成され、座席の平面形状に応じた外形形状を有する。そして、カバー本体には、ベビー用シートに備えられた股ベルト、腰ベルト、肩ベルト等の位置に応じて、それぞれを挿通するための切込が設けられている。そして、座席カバーをベビー用シートに装着する際には、この切込にそれぞれのベルトを挿通して座席カバーがベビー用シート上に取り付けられる。そして、切込からベルトを引き抜いて座席カバーが取り外される。
【０００４】
このようなベビー用シートの座席カバーによれば、ベビーカー、ベビーラック、ベビー用歩行器、チャイルドシート等の座席の汚れが防止され、このカバーのみをシートから取り外すことによって洗濯が容易に行え、乾燥にも手間がかからず、ベビーカー、ベビーラック、ベビー用歩行器、チャイルドシート等の座席が常に衛生的に使用可能となる。
【０００５】
【特許文献１】
特開平８−１０７８１６号公報
【発明が解決しようとする課題】
しかしながら、上記従来例においては、ベルトを挿通するための切込部がカバー表面に露出しているため、この切込部を通ってゴミや食べこぼしが、固形物、液体問わずに、裏側すなわち座席側へ流入してしまうという問題があった。特に、座席カバーが布地等の柔軟性の高い素材で構成されており切込部が容易に変形することから、ベルトと切込部との間に生じた隙間を通って比較的容易にゴミや食べこぼしが流入してしまうことがあった。
【０００６】
乳幼児用シートを使用する乳幼児は、このようなシートに座った状態で飲食をする機会が多く、特にベビーラックやベビー用歩行器においては付属品として食事用のテーブルを備えるものもある。また、乳幼児は一般的に食べこぼしが多く日常的にシート表面に食べ物が落下する。飲食の度にシート表面が食べ物にさらされるといっても過言ではない場合もある。
【０００７】
さらに、座席カバーが布地等の柔軟性の高い素材で構成されており乳幼児の動きによって容易に変形してしまうので、切込部周辺に落下した食べこぼしが切込部とベルトとの隙間を通過してシート側へ侵入してしまう。一般的には、乳幼児用シートの座席表面には乳幼児を保護するクッションシートが備えられており、このクッションシートの表地は布等で構成されているため、カバーを通過した固形の食べこぼしがクッションシートの表地に付着すると容易には剥がれず、また液状の食べこぼしがクッションシートに浸透することもあり衛生上の問題が懸念される。
【０００８】
また、乳幼児が座っておらず、切込部を観察できる状態にある場合には、切込部は変形のない本来の形状を保つので、ベルトと切込部との間に隙間がなく、切込部の裏側にある座席自体の表面の汚れを観察することができない。したがって、切込部を通って侵入したゴミや食べこぼしが発見されにくく、長期間に渡ってカバーの裏側および座席表面が汚れたままになることも懸念される。このように従来の座席カバーにおいては切込部からのゴミや食べこぼしの侵入によってその汚れ防止効果が著しく減殺されてしまうという問題があった。
【０００９】
本発明は、このような事情に鑑みて成されたものであり、本発明の目的は、股ベルト、腰ベルト、肩ベルト等のベルトを挿通するための切込部から、固形物、液体を問わない異物の侵入が防止される乳幼児用シートの座席カバーを提供することである。
【００１０】
【課題を解決するための手段】
そこで、本発明は、乳幼児用シートの座席表面に装着される乳幼児用シートの座席カバーにおいて、前記乳幼児用シートに備えられたベルトに対応した位置に設けられ、前記ベルトを通すための１または複数の切込部と、前記切込部に連設されて突出し、前記ベルトが挿通される袖部材とを備え、前記座席カバーが前記乳幼児用シートに装着される際に、前記ベルトの自由端が前記切込部から挿入され、前記袖部材を通って取り出されるようにした。
【００１１】
このようにすることにより、切込部に連設されて座席カバーの表側に突出した袖部材によってベルトの挿通部周辺が覆われるので、切込部からのゴミや食べこぼしの侵入を効果的に防止することができる。
【００１２】
また、本発明の前記袖部材は、筒形状を有し、前記筒形状の一方の開口部が、前記切込部の周縁部に合わされて固着され、他方の開口端部は、前記固着された開口部よりも開口面積が小さいようにした。
【００１３】
このようにすることにより、開口端部からのゴミなどの侵入を効果的に防止できるとともに、挿入間口を広げてベルトの挿通作業を容易にすることができる。
【００１４】
さらに、前記袖部材の開口端部は伸縮自在に絞り込まれるようにすることにより、ベルトを通す際にはこの開口端部を伸展させて挿通作業を容易にするとともに、挿通後には開口端部が絞り込まれてベルトにフィットし、開口端部からのゴミなどの侵入をより効果的に防ぐことができる。
【００１５】
また、本発明は、前記袖部材の前記ベルト挿通方向の長さは、前記挿通されるベルトの長さよりも短く、前記袖部材は、前記袖部材に挿通された前記ベルトの根元部分を覆うようにした。
【００１６】
このようにすることにより、ベルトの挿通距離を短くして挿通作業を容易にすることができるとともに、ベルト自由端の袖部材へのもぐりこみを防止することができる。
【００１７】
【発明の実施の形態】
以下、本発明の実施の形態について図面を参照して説明する。図１は、本発明の実施の形態に係る座席カバーの構成を示す正面図であり、図２は図１の座席カバーの背面図であり、図３は図１の座席カバーの平面図であり、図４は図１の座席カバーの右側面図であり、図５は図１の座席カバーをベビーカーに取り付けた状態を示す斜視図である。
【００１８】
図１に示すように、本発明の実施の形態に係る乳幼児用シートの座席カバーは、各種の乳幼児用シートの座席の表面形状に応じた外形形状を有するカバー本体１０を備える。図１に示されるカバー本体１０は略矩形であり、座席の座面に対応する両側部が張り出して耳部を形成している。そして、外周部分５０には、縁部を補強するためのパイピング処理が施されている。なお、この図に示すカバー本体の形状はあくまで一例であって、本発明をこれに限定するものではない。カバー本体１０の外形形状は、装着される乳幼児用シートの座席表面形状に応じて様々な形状に構成することができる。
【００１９】
カバー本体１０は、布地、不織布、紙、ビニール等の素材によって構成されるが、タオル地を用いると高い柔軟性と良好な肌触りを与えることができて好適である。なお、タオル地のような吸水性の素材を用いる場合には、裏面を防水加工することが好ましい。あるいは、表地をタオル地とし、防水性の裏地を縫い合わせるようにしてもよい。
【００２０】
また、図２に示すように、カバー本体１０には、この座席カバーが装着される乳幼児用シートに固定されている腰ベルト、股ベルトに対応した位置に切込部１６ａ、１６ｂが設けられている。この例では、切込部１６ａは腰ベルトに対応し、切込部１６ｂは股ベルトに対応している。また、一般的には、乳幼児用シートに固定される腰ベルトは２本のベルトに分割されて２箇所に設けられ、股ベルトは１本で構成される。そして、それぞれの切込部１６ａ、１６ｂのカバー本体１０の表側には袖部材１２ａ、１２ｂが設けられている。
【００２１】
この袖部材１２は、例えばカバー本体１０と同じ素材で形成された筒状部材の一方の開口部を、切込部１６の周縁部に合わせてカバー本体１０へ固着し、切込部１６と袖部材１２とが連通するよう構成される。一例としては、筒状部材の一方の開口端部に縫い代部を設け、この縫い代部を切込部の裏側の周縁部に重ね合わせて縫着、接着等する。そして、固着されず自由端となる筒状部材の他方の開口端部１４は、固着される側の開口部よりも開口面積を小さく構成すると、開口端部１４からのゴミなどの侵入を効果的に防止できるとともに、挿入間口を広げてベルトの挿通作業を容易にすることができ、好適である。
【００２２】
また、自由端となる開口端部１４の開口縁部の外周に沿ってゴム紐等を縫製することによって開口端部を伸縮自在に絞り込むと好適である。このような構成とすることにより、ベルトを通す際には、この開口端部１４が伸展して挿通作業が容易になるとともに、カバー装着後にはゴム紐が収縮して開口端部１４が絞り込まれてベルトにフィットし、開口端部１４からのゴミなどの侵入をより効果的に防ぐことができる。なお、開口端部１４を伸縮自在に構成する方法としては、衣類の袖を伸縮自在に構成するために一般的に用いられるのと同様な方法を広く用いることが可能である。例えば、開口端部１４に紐通しを形成し、ここに紐を通して巾着状にして絞り込むようにしてもよい。あるいはシャツの袖のように、開口端部１４の1ヶ所を長さ方向に切り分けてボタンを付け、このボタンを外した状態で開口端部１４をひろげ、このボタンをはめることによって開口端部１４を狭く閉じるようにしてもよい。
【００２３】
また、袖部材１２のベルト挿通方向の長さは、挿通されるベルトよりも短くし、装着状態においてベルトの根元部分のみを覆うようにすると好適である。このようにすることにより、まず、切込部からの汚れの侵入を防止するという目的を十分に達成するとともに、ベルトの挿通距離を短くして挿通作業を容易に行うことができる。また、ベルト自由端の袖部材１２へのもぐりこみを防止することができる。すなわち、乳幼児用シートに備えられるベルトは、乳幼児の身体の成長や衣類のボリュームに合わせて長さを適宜調節することができるものが一般的であり、したがって袖部材１２に挿通されるベルトの長さは可変する。特に、ベルトが短く調節され袖部材１２の方が長くなる場合には、袖部材１２の中にベルトの自由端部がもぐりこんでしまい、バックルが止められないことがあるため、上記のような構成が有用である。
【００２４】
次に、カバー本体１０は、カバー本体１０を乳幼児用シートに装着した状態で掛止するための部材を有する。具体的には、図１に示すように、カバー本体１０の両側部に形成された掛止部材２０を有する。この掛止部材２０は、カバー本体１０の両側部に対向して設けられた一対の紐状部材より成り、それぞれの紐状部材は、その一端をカバー本体１０の側部に縫着、接着等によって固着される。この掛止部材２０は、カバー本体１０を乳幼児用シートに装着した状態で、それぞれの紐状部材の自由端を乳幼児用シートの背部に回して締結することによってカバー本体１０をシートに掛止する。なお、掛止部材２０は、紐状部材の他に、帯状部材やベルト等を用いてもよい。また締結のためにバックルや面ファスナ等を備えるようにしてもよい。さらに、カバー本体１０は、乳幼児用シートに装着されたカバーが下方にずれ落ちるのを防止するために、カバー本体１０の上辺部に形成されたループ３０を有するようにしてもよい。なお、図１においては、一対の掛止部材２０が設けられる例を説明しているが、掛止部材２０はカバー本体１０の両側部に沿って段階的に何対設けられてもよい。
【００２５】
このような座席カバーを乳幼児用シートに装着するには、図５に示すように、乳幼児用シートに固定された腰ベルトおよび股ベルトの自由端を切込部１６ａ、１６ｂから挿入して袖部材１２ａ、１２ｂを通してその開口端部１４から取り出す。そして、袖部材１２ａ、１２ｂをベルトの固定端方向へスライドさせて袖部材１２ａ、１２ｂによってベルトの根元部分が覆われるようにして座席表面にカバー本体１０を取り付ける。また、掛止部材２０をシートの裏側に回して相互に締結し、ループ３０をシートの頭部に設けられたフック等に係合させてカバー本体１０を座席に固定する。
【００２６】
上記図５においては、本発明に係る座席カバーをベビーカーに取り付けた例を示したが、本発明に係る座席カバーは、ベビーラック、ベビー用歩行器、チャイルドシート等の他の乳幼児用シートにも使用可能である。図１の座席カバーをベビーラックに取り付けた状態、および図１の座席カバーをチャイルドシートに取り付けた状態を、それぞれ図６および図７に示す。本発明の座席カバーが装着されるこれらの乳幼児用シートに特徴的なことは、乳幼児の身体を支持するベルトが設けられていることである。このようなベルトの例として、腰ベルト、股ベルトを用いて本発明の実施形態を説明したが、以下においては、肩ベルトが備えられる例を本発明の他の実施の形態として説明する。
【００２７】
図８は、本発明の他の実施の形態に係る座席カバーの構成を示す正面図であり、図９は、図８の座席カバーの背面図である。これら図８および図９において図１および図２と共通する要素については同一の符号を付し、重複する説明を省略する。
【００２８】
図８に示すように、本発明の他の実施の形態に係る乳幼児用シートの座席カバーにおいては、カバー本体１０が、切込部１６ｃをさらに備え、切込部１６ｃは、乳幼児用シートに固定されている肩ベルトに対応した位置に設けられている。
そして、切込部１６ｃには、上述の実施の形態と同様にして図示しない袖部材１２が設けられる。このような座席カバーを乳幼児用シートに装着するには、肩ベルトの自由端を切込部１６ｃから挿入して袖部材１２を通してその開口端部１４から取り出すこととなる。なお、肩ベルトの位置からは食べこぼし等のゴミなどが侵入しにくいので、本発明の他の実施の形態においては、図８に示すように、袖部材を設けずに切込部１６ｃのみを設けるようにしてもよい。
【００２９】
本発明の座席カバーに設けられる切込部および袖部材の数および設定位置は、これらの実施の形態に限定されるものではない。切込部および袖部材の数および設定位置は、装着される乳幼児用シートのベルトの数とその位置に合わせて適宜設定可能である。また、切込のみの切込部と、袖部材をも有する切込部とを適宜混在させて設けることも可能である。具体的には、切込部と袖部材とから成るワンセットを股ベルトに対応した1ヶ所のみに設けてもよい。あるいは、５点式のベルトに対応して１本の股ベルト、１対の腰ベルト、１対の肩ベルトに対応した切込部および袖部材のセットを設けてもよく、肩ベルトについては切込部のみを設けてもよい。また、後者の場合には、肩ベルト用の切込部をはしご状に複数個並べてもよい。
【００３０】
【発明の効果】
以上説明したように、本発明によれば、切込部に設けられた袖部材によってベルトの挿通部周辺が覆われるので、切込部からの固形物、液体を問わないゴミや食べこぼしの侵入を効果的に防止することができる。
【００３１】
また、切込部を挿通したベルトの根元部分のみを覆うため、ベルトの挿通を容易にすることができると同時に、ベルトの長さを調整した場合にも袖部材に余りが生じたり、ベルトが袖部材に埋もれたりすることがない。
【図面の簡単な説明】
【図１】本発明の実施の形態に係る座席カバーの構成を示す正面図である。
【図２】図１の座席カバーの背面図である。
【図３】図１の座席カバーの平面図である。
【図４】図１の座席カバーの右側面図である。
【図５】図１の座席カバーをベビーカーに取り付けた状態を示す斜視図である。
【図６】図１の座席カバーをベビーラックに取り付けた状態を示す斜視図である。
【図７】図１の座席カバーをチャイルドシートに取り付けた状態を示す斜視図である。
【図８】本発明の他の実施の形態に係る座席カバーの構成を示す正面図である。
【図９】図８の座席カバーの背面図である。
【符号の説明】
１０  カバー本体
１２ａ、１２ｂ  袖部材
１４  開口端部
１６ａ、１６ｂ、１６ｃ  切込部
２０  掛止部材
３０  ループ
５０  外周部分
【図１】
2004190206.tif 000003
【図２】
2004190206.tif 000004
【図３】
2004190206.tif 000005
【図４】
2004190206.tif 000006
【図５】
2004190206.tif 000007
【図６】
2004190206.tif 000008
【図７】
2004190206.tif 000009
【図８】
2004190206.tif 000010
【図９】
2004190206.tif 000011